(57)【要約】【課題】高層構築物の保守・維持管理・修理作業などのための仮設足場の架設作業の省人化、工期短縮を図ることが可能な足場システムであって、地上または水上に足場パネル等の資材を長時間仮置きする必要がなく、また、道路や河川を越えて容易に足場パネルを搬送することが容易な足場システムを提供する。【解決手段】足場パネルＰを保持して作業床移動装置２０まで搬送する足場パネルストック部３４は、ステージ部３１の下部に複数同時に架設することができる。また、ステージ部３１は、構築物Ｓに対して構築物Ｓの長さ方向に移動可能となっている。仮設足場Ｆを構築物Ｓの下面に吊設する場合、足場パネル搬送装置３０を用いて複数の足場パネルＰをストックしつつ作業床移動装置２０まで搬送し、作業床移動装置２０と仮設足場吊設部とを用いて、足場パネルＰを構築物Ｓの下面に吊設する。【選択図】図１
2015137507.tif 000002
【特許請求の範囲】
【請求項１】
高架道路や橋梁などの構築物の保守、維持管理、修理作業などを行う保守作業箇所の下方に、足場パネルを移動させて仮設足場を設置する足場システムであって、
構築物の下方において複数の足場パネルからなる仮設足場を設置する作業を行うための作業床と、
作業床と足場パネルとを、構築物の下方の所定の移動開始地点から保守作業箇所の下方まで、構築物の長さ方向に沿って移動させる移動装置と、
足場パネルを移動装置の移動開始地点まで搬送する足場パネル搬送装置と、を備え、
足場パネル搬送装置は、
作業員が上面を歩行可能な足場であって、構築物の長さ方向に沿って移動装置の移動開始地点付近まで延びるステージ部と、
構築物の下方において、ステージ部を構築物に対して構築物の長さ方向に沿って移動可能に支持するステージ支持部と、
ステージ部に設けられ、一または複数の足場パネルを支持してステージ部に対して構築物の長さ方向に沿って移動可能な足場パネルストック部と、を有することを特徴とする足場システム。
【請求項２】
ステージ部には、複数の足場パネルストック部を設けることが可能であることを特徴とする請求項２に記載の足場システム。
【請求項３】
ステージ部は、複数の足場パネルストック部を、ステージ部に沿って並べて設けることを特徴とする請求項２に記載の足場システム。
【請求項４】
足場パネル搬送装置は、
足場パネルストック部をステージ部に対して構築物の長さ方向に沿って移動させる駆動装置を有し、
駆動装置は、複数並んだ足場パネルストック部のうち端部の足場パネルストック部を移動させることによって該複数の足場パネルストック部を同時に移動させることが可能であることを特徴とする請求項３に記載の足場システム。
【請求項５】
ステージ支持部は、
構築物の長さ方向に延びる大梁間に掛渡された小梁よりも下方においてステージ部を支持し、
移動装置は、
構築物の小梁の下面よりも上方に設置可能であることを特徴とする請求項１から４のいずれかに記載の足場システム。
【請求項６】
足場パネルストック部は、ステージ部の下部にステージ部に沿って設けられたレール部材に移動可能に吊持されることを特徴とする請求項１から５のいずれかに記載の足場システム。
【発明の詳細な説明】
【技術分野】
【０００１】
本発明は、足場システムに関し、詳しくは、高架道路や橋梁などの高層構築物に対して、主として保守・維持管理・修理作業などを行う際に用いる仮設足場を、構築物の下方に吊設する足場システムに関する。
【背景技術】
【０００２】
高架道路や橋梁などの高層構築物に対して、主として保守・維持管理・修理作業などを行う際に用いる仮設足場を架設するためには、架設箇所の真下から足場パネルを一枚ずつ順次揚上して構築物の下方に吊り下げて、先に吊り下げた足場パネルと連結させるというのが従来の手順であった。しかし、この場合、足場パネルの揚上作業と吊り下げ作業を繰り返して行わなければならず、仮設足場の架設および撤去作業は大変手間がかかるものとなっていた。また、足場パネルを架設する箇所の真下の地上または水上において作業を行うため、その作業場所の確保が必要であった。
【０００３】
そこで、近年、高層構築物の保守・維持管理・修理作業などを行う箇所の下方に吊設する足場システムが提案されている。例えば、特許文献１には、高層構築物の保守・維持管理・修理作業などを行う箇所の下方に構築物の長さ方向に沿って連続するレール部材と、レール部材に沿って駆動部により移動可能に架設された作業床と、作業床を介して押動されることによりレール部材に沿って移動可能なウインチ装置とを有する足場システムが開示されている。
【０００４】
この足場システムによれば、足場パネルをレール部材の始端位置にある作業床の前側にウインチ装置によって揚上し、該足場パネルを作業床によって押動し搬送する。作業床に押動された足場パネルが搬送終点位置に至ると、構築物の下方に吊持されるとともに、隣接する足場パネル同士が連結される。そして、作業床とウインチ装置とは始端位置に引き返し、同様の動作を繰り返し行うことによって、足場パネルを高層構築物の保守・維持管理・修理作業などを行う箇所の下方全面に吊設する。これにより、仮設足場の仮設箇所の真下に作業場所を確保しなくとも、高層構築物の下方に仮設足場を架設することができる。また、仮設足場の架設および撤去作業の省人化や工期短縮を図ることができる。
【先行技術文献】
【特許文献】
【０００５】
【特許文献１】特開２００５−２９９２８０号公報
【発明の概要】
【発明が解決しようとする課題】
【０００６】
ところで、高架道路や橋梁などの高層構築物の真下には、他の道路や河川が存在する場合が多い。このような場合、特許文献１に記載された足場システムでは、レール部材の始点位置近辺の地上や水上において、足場パネルなどの仮設材等を仮置きしたり足場パネルの揚上作業を行ったりする場所を確保することが困難となってしまう。そのため、足場パネル等を仮置き可能な位置からレール部材に足場パネルを揚上する作業が可能な場所まで、人手によって足場パネル等を搬送しなければならないが、途中に道路や河川があるとそのような搬送路を確保することも困難となってしまう。また、足場パネルの仮置き場を確保するために、トラックを道路に長時間停車させたり、台船を河川に長時間停泊させたりする必要があるため、道路や河川において車両や船舶の往来を長時間阻害してしまう虞がある。
【０００７】
これに対し、レール部材を延長し、レール部材に沿って作業床と足場パネルとが長距離を移動できるようにすることにより、足場パネルを仮置き可能な場所から搬送可能にすることが考えられる。すなわち、レール部材を構築物の下方に長距離にわたって架設することにより、足場パネル等の仮置き場から仮設足場の吊設箇所まで足場パネルを搬送することができる。しかしながら、このように作業床を足場パネルとともに長距離移動させることが可能となったとしても、仮置き場を道路等において長時間にわたって確保しなければならないという問題は解消することができない。
【０００８】
そこで、本発明は、高層構築物の保守・維持管理・修理作業などのための仮設足場の架設作業の省人化、工期短縮を図ることが可能な足場システムであって、地上または水上に足場パネル等の資材を長時間仮置きする必要がなく、また、道路や河川を越えて容易に足場パネルを搬送することが容易な足場システムを提供することを目的とする。
【課題を解決するための手段】
【０００９】
本発明に係る足場システムは、高架道路や橋梁などの構築物の保守、維持管理、修理作業などを行う保守作業箇所の下方に、足場パネルを移動させて仮設足場を設置する足場システムであって、構築物の下方において複数の足場パネルからなる仮設足場を設置する作業を行うための作業床と、作業床と足場パネルとを、構築物の下方の所定の移動開始地点から保守作業箇所の下方まで、構築物の長さ方向に沿って移動させる移動装置と、足場パネルを移動装置の移動開始地点まで搬送する足場パネル搬送装置と、を備え、足場パネル搬送装置は、作業員が上面を歩行可能な足場であって、構築物の長さ方向に沿って移動装置の移動開始地点付近まで延びるステージ部と、構築物の下方において、ステージ部を構築物に対して構築物の長さ方向に沿って移動可能に支持するステージ支持部と、ステージ部に設けられ、一または複数の足場パネルを支持してステージ部に対して構築物の長さ方向に沿って移動可能な足場パネルストック部と、を有することを特徴とする。
【００１０】
このように、構築物の下方に支持されたステージ部に足場パネルストック部を設けているので、移動装置に搬送する足場パネルを、ステージ部の下部にストックすることが可能となる。また、ステージ部が構築物の長さ方向に移動可能であり、ステージ部を移動させて空いたスペースに新たなステージ部を設けることによりステージ部を容易に増設することできる。そのため、移動装置まで作業員が歩行する足場および足場パネルをストックするスペースを容易に延長することが可能となる。
【発明の効果】
【００１１】
本発明によれば、移動装置に搬送する足場パネルを、ステージ部にストックすることができるので、足場システムで用いる足場パネルを地上や水上において長時間仮置きする必要がない。また、ステージ部を容易に構築物の長さ方向に延長することができるので、道路や河川を越えて容易に足場パネルを長距離搬送することが可能となる。したがって、地上や水上に足場パネル等の資材を長時間仮置きすることが困難な場合や、構築物の保守・維持管理・修理作業などを行う場所まで足場パネルを長距離搬送する必要があるような場合であっても、仮設足場の設置作業の安全化、省人化、工期短縮を図ることが可能となる。
【図面の簡単な説明】
【００１２】
【図１】足場システムの特に仮設足場吊設部と作業床移動装置とを示す斜視図である。
【図２】足場システムの特に足場パネル搬送装置示す斜視図である。
【図３】足場パネルを示す斜視図である。
【図４】足場システムを設置する工程を示す足場システムの概略側面図である。
【図５】足場システムを設置する工程を示す足場システムの概略側面図である。
【図６】足場システムの使用方法を示す足場システムの概略側面図である。
【発明を実施するための形態】
【００１３】
図１乃至図６は、本発明の一実施形態を示すものである。なお、説明の便宜上、図１および図２においては、大梁Ｇは二点鎖線によって表している。
【００１４】
本発明の足場システム１は、図１および図２に示すように、仮設足場吊設部１０と、作業床移動装置２０と、足場パネル搬送装置３０と、を備えている。
【００１５】
仮設足場吊設部１０は、複数の足場パネルＰからなる仮設足場Ｆを構築物Ｓの下方に吊設する手段であり、吊設部材１１と連結部材１２とを有している。
【００１６】
図３に示すように、足場パネルＰは、矩形状に形成された板状部材であり、既存の高架道路や橋梁などの高層構築物に対して、主として保守・維持管理・修理作業などを行う際に用いる仮設足場Ｆとして、高層構築物の保守・維持管理・修理作業などを行う箇所の下方に吊設されて使用される。足場パネルＰは、基本モジュール（幅１ｍ×長さ８ｍ×厚さ０．１ｍ）の一体型成形品で、自重は２３０ｋｇで、大型軽量のものである。足場パネルＰは、外周に配設された外枠Ｐ１と、外枠内の長さ方向および幅方向にそれぞれ所定間隔で配設された中骨Ｐ２と、外枠Ｐ１と中骨Ｐ２との表面に張設されたアルミチェッカープレートからなる表面板Ｐ３とにより構成されている。また、足場パネルＰは、外枠Ｐ１と外枠Ｐ１の幅方向に延びる中骨Ｐ２とが交差する各位置に、上下移動して使用位置と収納位置とに突没可能の環状の吊り金具Ｐ４を設けている。
【００１７】
吊設部材１１は、構築物Ｓの下面に係止されたクランプ１１ａから吊り下げられた縦長の板状部材であり、下端部を足場パネルＰの吊り金具Ｐ４に連結して足場パネルＰを構築物Ｓの下面に吊設する。なお、吊設部材１１は、ワイヤ部材やチェーン部材等であってもよい。
【００１８】
連結部材１２は、足場パネルＰの外枠Ｐ１の長辺部に設けられ、足場パネルＰを隣接する足場パネルＰに対し連結、連結解除可能とする。具体的には、連結部材１２は、足場パネルＰの外枠Ｐ１の長辺部の全長に沿って取り付けられ、所定間隔に固定用ナットが設けられた下側連結板１２ａと、この下側連結板１２ａの上側に重ねられるように外枠Ｐ１の長辺部に所定間隔をおいて取り付けられ、固定ボルト挿通用の長穴を有する上側連結板１２ｂと、下側連結板１２ａの上側に上側連結板１２ｂを重ねた状態で上側連結板１２ｂから下側連結板１２ａに挿通して螺着する固定ネジ（図示せず）とからなる。連結部材１２は、下側連結板１２ａと上側連結板１２ｂと固定ネジとによって、隣設する足場パネルＰ同士を連結させて仮設足場Ｆとすることができる。これにより、足場パネルＰ同士が水平方向に固定されて安定する。また、足場パネルＰ同士が隙間無く連結するので連結部分から工事用品が落下することがない。
【００１９】
図１に示すように、作業床移動装置２０は、構築物Ｓの保守・維持管理・修理作業などを行う箇所の下方の小梁Ｂと小梁Ｂとの間に架設され、構築物Ｓの長さ方向に延びる左右一対の作業床用レール部材２１と、作業床用レール部材２１に沿って移動可能に作業床用レール部材２１に架設される作業床２２と、作業床２２を作業床用レール部材２１に沿って移動させる例えば電動モータ等の駆動部２３と、作業床用レール部材２１に沿って移動可能に作業床用レール部材２１に架設され、足場パネルＰを支持可能な支持部２４と、を有している。小梁Ｂは、構築物Ｓの下面の長さ方向に延びる左右一対の大梁Ｇの幅方向に吊設され、大梁Ｇよりも下方に突出した構築物Ｓの梁部材である。
【００２０】
作業床用レール部材２１は、構築物Ｓの梁部材の下面から吊り下げられたワイヤ等を介して構築物Ｓの下方に架設され、構築物Ｓに沿って水平に延びるラック部材である。作業床用レール部材２１は、小梁Ｂと小梁Ｂとの間に構築物Ｓの長さ方向に沿って架設されるため、通常は、作業床用レール部材２１の始点が小梁Ｂの前面付近に位置するように設けられる。作業床用レール部材２１の始点と終点の端部には、作業床２２および支持部２４の逸走を防止するためのストッパが取り付けられる。なお、作業床用レール部材２１は、小梁Ｂの下面よりも下方に架設することにより、小梁Ｂと小梁Ｂとの間に架設場所を限定されないようにすることも可能である。しかし、足場パネルＰを構築物Ｓの下面に接近した位置に吊設するためには、作業床用レール部材２１は小梁Ｂの下面よりも上方に架設することが望ましい。以下において、足場システム１の前後方向を説明する場合、作業用床レール部材２１の中間部から作業用床レール部材２１の始点側方向を後方とし、作業用床レール部材２１の終点側方向を前方とする。
【００２１】
作業床２２は、一対の作業床用レール部材２１の間隔よりも幅広の移動足場である。図４に示すように、一対の作業床用レール部材２１には、作業用床レール部材２１に沿って延びる連結具２１ｄを介してそれぞれ２個ずつ互いに連結したピニオン部２２ａが作業床用レール部材２１に沿って移動可能に架設されている。ピニオン部２２ａには揚重装置２２ｂが設けられており、揚重装置２２ｂの下方にはワイヤを介して作業床２２が吊下されている。作業床２２は、図示しない移動装置によって作業床用レール部材２１の幅方向に移動自在であり、揚重装置２２ｂによって昇降自在であり、さらに、ピニオン部２２ａによって作業床用レール部材２１に沿って移動自在となっている。また、駆動部２３は、４カ所のピニオン部２２ａのうち作業床用レール部材２１の始点側の２カ所のピニオン部２２ａに連結して作業床用レール部材２１に設けられ、ピニオン部２２ａを押動または引動する。これにより、作業床２２は作業床用レール部材２１の下方を作業床用レール部材２１の長さ方向に沿って駆動部２３によって自動移動可能となっている。なお、本実施形態では、揚重装置２２ｂはチェーンブロックを用いているが、ウインチ装置等を用いてもよい。
【００２２】
支持部２４は、一対の作業床用レール部材２１にそれぞれ架設されており、昇降装置２４ａと、作業床用レール部材２１に沿って移動可能に架設されて昇降装置２４ａを作業床用レール部材２１に吊下するピニオン部２４ｂと、昇降装置２４ａの下方に足場パネルＰを吊下するパネル吊下部２４ｃとを有している。昇降装置２４ａは、菱形に収縮するパンタグラフジャッキであり、パンタグラフが作業床用レール部材２１の長さ方向に２個並列して設けられている。これにより、作業床用レール部材２１から至近の位置にて足場パネルＰを小刻みに昇降させることができる。また、ピニオン部２４ｂは、作業床２２を支持するピニオン部２２ａと連結可能となっており、駆動部２３によってピニオン部２２ａとともに作業床用レール部材２１に沿って移動可能となっている。
【００２３】
図２に示すように、足場パネル搬送装置３０は、上面を作業者が歩行可能な足場部材であって構築物Ｓの長さ方向に延びるステージ部３１と、構築物Ｓの下方においてステージ部３１を支持するステージ支持部３２と、ステージ部３１の下部にステージ部３１の長さ方向に沿って設けられたストックレール部材３３と、足場パネルＰをストックレール部材３３に沿って搬送可能な足場パネルストック部３４と、足場パネルＰを足場パネルＰの仮置き場Ｙから足場パネル搬送装置３０まで揚重する第１ストック揚重装置３５と、足場パネル搬送装置３０から作業床移動装置２０まで足場パネルＰを揚重する第２ストック揚重装置３６と、を有している。
【００２４】
ステージ部３１は、互いに連結可能な所定長さごとのステージユニット３１ａが、構築物Ｓの長さ方向に連続して設けられることにより構成されている。それぞれのステージユニット３１ａは、構築物Ｓの長さ方向に延びる矩形の板状部材であって作業者が上面を歩行可能な床部３１１と、床部３１１の側部上面に床部３１１の長さ方向に沿って設けられ、作業者が把持可能であるとともに作業者や資材等の床部３１１からの落下を防止するための手摺３１２と、床部３１１の両側部上面および幅方向中央部上面にそれぞれトラス部材を介して設けられたラック部材であって、床部３１１の長さ方向に沿って延びる３本のステージラック部材３１３と、を有している。ステージ部３１の始点は仮置き場Ｙの上方付近とすることが望ましく、ステージ部３１の終点は作業床用レール部材２１の始点付近の下方付近とすることが望ましい。
【００２５】
ステージ支持部３２は、構築物Ｓの下面にワイヤを介して設けられた構築物Ｓの幅方向に延びるラック部材であるステージ支持レール部材３２１と、ステージ支持レール部材３２１に架設されステージ支持レール部材３２１に沿って移動可能な第１ステージピニオン部３２２と、第１ステージピニオン部３２２にワイヤによって吊下された第２ステージピニオン部３２３と、を有している。ステージ支持レール部材３２１は、構築物Ｓの長さ方向に所定間隔で複数並んで設けられ、第１ステージピニオン部３２２は、それぞれのステージ支持レール部材３２１に３個ずつ架設されている。そして、これら３個の第１ステージピニオン部３２２に吊下された第２ステージピニオン部３２３は、それぞれステージ部３１の床部３１１の両側部上面および幅方向中央部上面に設けられたステージラック部材３１３を水平方向に移動可能に支持している。所定の第２ステージピニオン部３２３には駆動部３２４が設けられており、駆動部３２４によってステージラック部材３１３を第２ステージピニオン部３２３に対して自動的に移動させることが可能となっている。また、第２ステージピニオン部３２３は、小梁Ｂの下面よりも下方に吊下され、これにより、ステージ部３１は小梁Ｂの下面よりも下方に架設されることになるので、ステージ部３１を小梁Ｂが設けられた位置でも設置可能となっている。
【００２６】
このようなステージ部３１とステージ支持部３２との構成によって、ステージ部３１は、ステージ支持レール部材３２１に沿って構築物Ｓに対して構築物Ｓの幅方向に移動可能であるとともに、ステージラック部材３１３に沿って構築物Ｓに対して構築物Ｓの長さ方向に小梁Ｂを超えて移動可能となっている。
【００２７】
ストックレール部材３３は、ステージ部３１の床部３１１の両側面に沿って設けられた２本のトラスレール部材である。
【００２８】
足場パネルストック部３４は、ストックレール部材３３に架設されストックレール部材３３に沿って移動可能なストックレールピニオン部３４１と、ストックレールピニオン部３４１に吊持され足場パネルＰを支持可能な吊り金具３４２（図６参照）と、ストックレールピニオン部３４１の後方のストックレール部材３３に設けられ、ストックレールピニオン部３４１を押動または引動することで足場パネルストック部３４をストックレール部材３３に沿って移動させる例えば電動モータ等の駆動装置３４３と、を有している。足場パネルストック部３４は、前後左右の４個のストックレールピニオン部３４１に吊持された吊り金具３４２によって、連結した２枚の足場パネルＰを同時に保持する。
【００２９】
このような構成により、足場パネルストック部３４は、連結した２枚の足場パネルＰを構築物Ｓの下方を構築物Ｓの長さ方向に沿って搬送する。また、ストックレールピニオン部３４１は、ストックレール部材３３に複数同時に架設することが可能であり、複数の足場パネルストック部３４が複数の足場パネルＰを同時に搬送することによって、ステージ部３１の下方に複数の足場パネルＰをストックすることが可能である。
【００３０】
第１ストック揚重装置３５は、仮置き場Ｙの上方付近の構築物Ｓの下面に吊設され、構築物Ｓの長さ方向に延びるレールである第１揚重ラック部材３５１と、第１揚重ラック部材３５１に沿って移動可能に架設された第１揚重ピニオン部３５２と、第１揚重ピニオン部３５２に設けられた第１揚重チェーンブロック３５３と、第１揚重チェーンブロック３５３にワイヤを介して昇降自在に吊下された吊り金具３５４と、を有している。吊り金具３５４は足場パネルＰの吊り金具Ｐ４と連結可能であり、第１ストック揚重装置３５は、足場パネルＰを仮置き場Ｙから足場パネルストック部３４まで揚重することができる。
【００３１】
第２ストック揚重装置３６は、ステージ部３１の終点と作業床用レール部材２１の始点とが重なる位置の上方付近の構築物Ｓの下面にワイヤを介して吊設され、構築物Ｓの長さ方向に延びるレールである第２揚重ラック部材３６１と、第２揚重ラック部材３６１に沿って移動可能に架設された第２揚重ピニオン部３６２と、第２揚重ピニオン部３６２に設けられた第２揚重チェーンブロック３６３と、第２揚重チェーンブロック３６３にワイヤを介して昇降自在に吊下された吊り金具３６４と、を有している。吊り金具３６４は足場パネルＰの吊り金具Ｐ４と連結可能であり、第２ストック揚重装置３６は、足場パネルＰを足場パネルストック部３４から作業床移動装置２０の支持部２４まで揚重することができる。
【００３２】
次に、図４と図５とを用いて、足場システム１を構築物Ｓの下方に設置する方法について説明する。足場パネル搬送装置３０は、仮置き場Ｙ付近から作業床移動装置２０を設ける位置に向かって組み上げていく。
【００３３】
まず、図４に示すように、仮置き場Ｙの上方付近の構築物Ｓの下面に第１ストック揚重装置３５を吊設するとともに、ステージ支持部３２のステージ支持レール部材３２１を構築物Ｓの大梁Ｇに所定個数架設する。この時点で架設するステージ支持レール部材３２１は３本程度でよい。そして、大梁Ｇに架設したステージ支持レール部材３２１に第１ステージピニオン部３２２を架設し、第１ステージピニオン部３２２に第２ステージピニオン部３２３を吊下する。
【００３４】
次に、ステージ部３１の１つ目のステージユニット３１ａを構築物Ｓの下方に設置する作業を行う。まず、第２ステージピニオン部３２３にステージユニット３１ａのステージラック部材３１３を架設する。そして、作業員は、設置されたステージユニット３１ａの床部３１１上の前方端部付近にて、さらに１本のステージ支持レール部材３２１を大梁Ｇに架設し、架設したステージ支持レール部材３２１に第１ステージピニオン部３２２と第２ステージピニオン部３２３とを取り付ける作業を行う。そして、駆動部３２４によって１つ目のステージユニット３１ａを前方に移動させ、該ステージユニット３１ａのステージラック部材３１３を新たに設置した第２ステージピニオン部３２３に架設する。
【００３５】
次に、ステージ部３１を延長する作業を行う。まず、１つ目のステージユニット３１ａが移動したことにより空いたスペースに、２つ目のステージユニット３１ａを設置する作業を行う。すなわち、１つ目のステージユニット３１ａが前方に移動したことにより、仮置き場Ｙの上方付近の第２ステージピニオン部３２３にはステージ部３１が架設されていない状態となる。このステージ部３１が架設されていない第２ステージピニオン部３２３に、図５に示すように、２つ目のステージユニット３１ａのステージラック部材３１３を架設するとともに、１つ目のステージユニット３１ａと２つ目のステージユニット３１ａとを連結する。この作業を繰り返し行うことによって、ステージ部３１を延長させていくことができる。
【００３６】
次に、作業床移動装置２０を、構築物Ｓの保守・維持管理・修理作業などを行う箇所の下方の小梁Ｂと小梁Ｂとの間に架設する作業を行う。作業床用レール部材２１の始点は、小梁Ｂの前面側であってステージ部３１の終点付近の上方とする。なお、作業床用レール部材２１や作業床２２等の資材は、ステージ部３１上を作業者が持ち運ぶことも可能であるし、足場パネルストック部３４を用いてステージ部３１下を搬送することも可能である。
【００３７】
そして、ストックレールピニオン部３４１をストックレール部材３３に架設させ、足場パネルストック部３４をステージ部３１に架設する作業を行い、足場システム１の設置を完了する。
【００３８】
次に、図６を用いて、足場パネルＰを仮置き場から搬送して、構築物Ｓの保守・維持管理・修理作業などを行う箇所の下方に仮設足場Ｆを吊設する方法について説明する。
【００３９】
まず、図６のＩに示すように、仮置き場Ｙにおいて、予め２枚連結させた足場パネルＰの吊り金具Ｐ４を、第１ストック揚重装置３５の吊り金具３５４に連結させ、第１揚重チェーンブロック３５３によって揚重する。そして、ストックレール部材３３の始点付近に架設されている足場パネルストック部３４の吊り金具３４２に揚重した足場パネルＰの吊り金具Ｐ４を連結させるとともに、吊り金具Ｐ４と吊り金具３５４との連結を解除する。これにより、足場パネルＰは第１ストック揚重装置３５から足場パネルストック部３４へと移し替えられる。次に、足場パネルＰを保持した足場パネルストック部３４をストックレール部材３３に沿って前方（終点側）へと移動させ、新たな足場パネルストック部３４をストックレール部材３３の仮置き場Ｙの上方付近に架設する。そして、仮置き場Ｙから次の足場パネルＰを第１ストック揚重装置３５によって揚重し、新たに架設した足場パネルストック部３４に移し替える。このような作業を繰り返すことによって、図６のIIに示すように、ステージ部３１の下部に複数の足場パネルＰをストックすることができる。
【００４０】
次に、足場パネルＰを保持した足場パネルストック部３４をステージ部３１の長さ方向先端部、すなわちストックレール部材３３の終点まで移動させる。なお、このとき、図６のIIIに示すように、作業床２２と支持部２４とは、作業床用レール部材２１の始点側に停止させておく。そして、図６のIVに示すように、足場パネルＰの吊り金具Ｐ４に第２ストック揚重装置３６の吊り金具３６４を連結させるとともに、吊り金具Ｐ４と吊り金具３４２との連結を解除する。これにより、足場パネルＰは足場パネルストック部３４から第２ストック揚重装置３６へと移し替えられる。次に、ステージ部３１を、駆動部３２４を用いてステージ支持レール部材３２１に沿って後方（始点側）に移動させ、第２ストック揚重装置３６に保持された足場パネルＰの上方にステージ部３１が無い状態とする。そして、第２揚重チェーンブロック３６３を用いて該足場パネルＰを揚重し、足場パネルＰの吊り金具Ｐ４に支持部２４のパネル吊下部２４ｃを連結させるとともに、吊り金具３６４と吊り金具Ｐ４との連結を解除する。これにより、足場パネルＰは、第２ストック揚重装置３６から支持部２４へと移し替えられる。足場パネルＰを足場パネルストック部３４から第２ストック揚重装置３６を経て支持部２４へと移し替える作業は、ステージ部３１でも行うことができるし、作業床用レール部材２１の始点位置に停止している作業床２２上でも行うことができる。
【００４１】
なお、第２ストック揚重装置３６に移し替えられた足場パネルＰを支持部２４まで揚重する作業は、ステージ部３１を移動させなくとも行うことができる。この場合、足場パネルＰを第２ストック揚重装置３６が保持した状態で、第２揚重ピニオン部３６２を第２揚重ラック部材３６１に沿って前方に移動させて、足場パネルＰをステージ部３１の前端部よりも前方まで移動させる。そして、第２揚重チェーンブロック３６３を用いて足場パネルＰをステージ部３１よりも上方まで揚重し、第２揚重ピニオン部３６２を第２揚重ラック部材３６１に沿って後方に移動させる。これにより、ステージ部３１を移動させなくとも、足場パネルＰを支持部２４の真下まで移動させ、移し替え作業を行うことができる。
【００４２】
次に、作業床２２と支持部２４とを作業床用レール部材２１に沿って終点側に向かって移動させる。支持部２４のピニオン部２４ｂは、作業床２２を支持するピニオン部２２ａと連結しているため、ピニオン部２２ａが移動すると、ピニオン部２４ｂがピニオン部２２ａに押動される。したがって、駆動部２３によって作業床２２と支持部２４とは同時に作業床用レール部材２１に沿って移動する。そして、足場パネルＰを支持した支持部２４が作業床用レール部材２１の終点に到達すると、吊設部材１１を足場パネルＰの吊り金具Ｐ４に連結させる。次に、支持部２４の昇降装置２４ａを用いて足場パネルＰの高さを既に構築物Ｓの下方に吊設されている足場パネルＰの高さと合わせ、連結部材１２によって両足場パネルＰの長辺同士を連結させる。そして、支持部２４の昇降装置２４ａによって足場パネルＰを下降させ、足場パネルＰの荷重が吊設部材１１に係ったことを確認すると、足場パネルＰの吊り金具Ｐ４と支持部２４のパネル吊下部２４ｃとの連結を解除する。そして、足場パネルＰを吊設部材１１によって吊設した部分の作業床用レール部材２１を取り外し、作業床２２を作業床用レール部材２１の始点まで戻す（図１および図６参照）。
【００４３】
このような作業を繰り返し行うことによって、図６のＶに示すように、足場パネルＰを構築物Ｓの保守・維持管理・修理作業などを行う箇所の下方に複数吊設し、仮設足場Ｆを設置する。
【００４４】
このように、上記の本実施形態の足場システム１によれば、構築物Ｓの下方に架設したステージ部３１に足場パネルＰを搬送する足場パネルストック部３４が設けられるので、作業員が歩行するステージ部３１に足場パネルＰをストックすることができる。したがって、足場パネルＰの搬送装置、ストック装置、および作業員の歩行用足場を兼用させることが可能となる。また、足場パネルＰを構築物Ｓの下方に架設したステージ部３１にストックすることができるので、地上や水上に設けられた仮置き場Ｙに足場パネルＰを長時間仮置きしておく必要がない。そのため、長時間にわたって道路や河川における車両や船舶等の往来を阻害することを回避することができる。
【００４５】
さらに、ステージ部３１は、構築物Ｓに対して構築物Ｓの長さ方向に移動可能となっているので、ステージ部３１を前方に移動させて空いたスペースに新たなステージユニット３１ａを設けることによりステージ部３１を容易に増設することできる。そのため、ステージ部３１を容易に構築物Ｓの長さ方向に延長させることが可能であるので、道路や河川を超えて足場パネルＰを容易に長距離搬送可能とすることができる。
【００４６】
したがって、地上や水上に足場パネルＰ等の資材を長時間仮置きすることが困難な場合や、構築物Ｓの保守・維持管理・修理作業などを行う場所まで足場パネルを長距離搬送する必要があるような場合であっても、仮設足場Ｆの架設作業の安全化、省人化、工期短縮を図ることが可能となる。
【００４７】
また、上記本実施形態によれば、ステージ部３１に複数の足場パネルストック部３４を設けることができる。そのため、ステージ部３１に、足場パネルＰを同時に複数搬送可能であるともに、複数の足場パネルＰをストックすることができる。
【００４８】
また、本実施形態によれば、足場パネルストック部３４は、ステージ部３１に沿って複数並んで設けられる。そのため、ステージ部３１を構築物Ｓの長さ方向に延長させることにより、足場パネルＰをストック可能な枚数を容易に増加させることができる。
【００４９】
また、本実施形態によれば、駆動装置３４３は、ストックレール部材３３の最も後方側にあるストックレールピニオン部３４１の後方のストックレール部材３３に設けられ、足場パネルストック部３４をストックレール部材３３に沿って移動させる。これにより、容易に複数の足場パネルストック部３４を移動させることができる。
【００５０】
また、上記の本実施形態によれば、ステージ部３１は、構築物Ｓの幅方向に延びて大梁Ｇよりも下方に突出した小梁Ｂの下面のさらの下方に架設される。一方、作業床用レール部材２１は、構築物Ｓの小梁Ｂの下面よりも上方に架設される。これにより、小梁Ｂがある場所であっても、足場パネルＰを搬送およびストックが可能であるとともに、小梁Ｂの下面よりも構築物Ｓの下面に接近した位置に足場パネルＰを吊設することが可能となる。したがって、構築物Ｓの下面に小梁Ｂが設けられているか否かに関わらず、構築物Ｓ下面の保守・維持管理・修理作業などを行う箇所に近い位置に、仮設足場Ｆを容易に吊設することができる。
【００５１】
さらに、上記の本実施形態によれば、足場パネルストック部３４は、ステージ部３１の下部に設けられたストックレール部材３３に架設されている。したがって、作業者のステージ部３１の歩行を阻害せずに、ステージ部に足場パネルストック部３４を設けることが可能となる。
【符号の説明】
【００５２】
１      足場システム
１０    仮設足場吊設部
１１    吊設部材
１１ａ  クランプ
１２    連結部材
１２ａ  下側連結板
１２ｂ  上側連結板
２０    作業床移動装置
２１    作業床用レール部材
２１ｄ  連結具
２２    作業床
２２ａ  ピニオン部
２２ｂ  揚重装置
２３    駆動部
２４    支持部
２４ａ  昇降装置
２４ｂ  ピニオン部
２４ｃ  パネル吊下部
３０    足場パネル搬送装置
３１    ステージ部
３１ａ  ステージユニット
３１１  床部
３１２  手摺
３１３  ステージラック部材
３２    ステージ支持部
３２１  ステージ支持レール部材
３２２  第１ステージピニオン部
３２３  第２ステージピニオン部
３２４  駆動部
３３    ストックレール部材
３４    足場パネルストック部
３４１  ストックレールピニオン部
３４２  吊り金具
３４３  駆動装置
３５    第１ストック揚重装置
３５１  第１揚重ラック部材
３５２  第１揚重ピニオン部
３５３  第１揚重チェーンブロック
３５４  吊り金具
３６    第２ストック揚重装置
３６１  第２揚重ラック部材
３６２  第２揚重ピニオン部
３６３  第２揚重チェーンブロック
３６４  吊り金具
Ｓ      構築物
Ｇ      大梁
Ｂ      小梁
Ｆ      仮設足場
Ｙ      仮置き場
Ｐ      足場パネル
Ｐ１    外枠
Ｐ２    中骨
Ｐ３    表面板
Ｐ４    吊り金具
【図１】
2015137507.tif 000003
【図２】
2015137507.tif 000004
【図３】
2015137507.tif 000005
【図４】
2015137507.tif 000006
【図５】
2015137507.tif 000007
【図６】
2015137507.tif 000008